(57)【要約】  本トレイは、底面（２）と、底面（２）の外周部から上方に立ち上がった外周面（３）とを有する容器状の本体（１）と、本体（１）の内部を複数の空間に仕切る、少なくとも１枚の仕切板（５）とを備えている。本体（１）の外周面（３）内側には、仕切板（５）の下降移動を案内する案内溝（６）が設けられている。案内溝（６）の中心には、案内溝（６）の底辺から中部にまで立ち上がったリブ部（７）が設けられている。仕切板（５）の少なくとも一端側には、リブ部（７）に嵌合する嵌合溝（８）が、その下方から上方に向けて設けられている。
2013011672.tif 000002
【特許請求の範囲】
【請求項１】
底面と、前記底面の外周部から前記底面に交差する方向に立ち上がって内部空間を形成する外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の前記底面方向への移動を案内する案内溝と、
前記案内溝の中心に設けられており、前記案内溝の底辺から中部にまで立ち上がったリブ部と、
前記仕切板の少なくとも一端側に、前記仕切板を前記案内溝へ挿入する際の姿勢における下部から上部に向けて設けられており、前記リブ部に嵌合する嵌合溝と、
を備えているトレイ。
【請求項２】
前記嵌合溝は、前記仕切板を上方から前記案内溝へ挿入する状態において、下方が上方よりも溝幅が広くなるように形成されている、
請求項１に記載のトレイ。
【請求項３】
前記本体は、略四角形状を有し、
前記本体の内部の隅において、互いに対向する外周面に設けられており、前記仕切板の端部が挿入可能な凹部を、さらに備えている、
請求項１または２に記載のトレイ。
【請求項４】
前記本体の略四角形状の四隅に形成された凹状の上面の外周側に設けられており、上方から重ねられるトレイの底の一部を支持する支持部を、さらに備えている、
請求項１から３のいずれか１項に記載のトレイ。
【請求項５】
底面と、前記底面の外周部から前記底面に交差する方向に立ち上がって内部空間を形成する外周面と、を有する容器状の本体と、
前記外周面における前記底面とは反対側の端部に設けられており、上方から重ねられるトレイの底の一部を平面において支持する支持部と、
を備えているトレイ。
【請求項６】
前記支持部の外周側に設けられており、前記底面に交差する方向に突出する凸部を、さらに備えている、
請求項５に記載のトレイ。
【請求項７】
底面と、前記底面の外周部から前記底面に交差する方向に立ち上がって内部空間を形成する外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の下降移動を案内する略長方形の嵌合溝と、
前記仕切板の幅方向における両側の側面の少なくとも一方から突出するように設けられており、その下方から上方に向けて前記嵌合溝に嵌合する略直方体形状を有する嵌合リブ部と、
前記仕切板における前記嵌合リブ部に近接する内側部分に、前記嵌合リブ部の突出方向に対して交差する両方向に突出するように設けられた突起部と、
を備えているトレイ。
【請求項８】
前記本体は、略四角形状を有し、
前記本体の前記内部空間の端部において、互いに対向する２つの外周面にそれぞれ設けられており、前記仕切板の端部が挿入可能な凹部を、さらに備えている、
請求項７に記載のトレイ。
【請求項９】
底面と、前記底面の外周部から前記底面に交差する方向に立ち上がった外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の前記底面方向への移動を案内する略円形の嵌合溝と、
前記仕切板の少なくとも一端側に設けられており、前記仕切板を前記嵌合溝へ挿入する際の姿勢における下方から上方に向けて前記嵌合溝に嵌合する略円形の嵌合リブ部と、
を備えているトレイ。
【請求項１０】
前記本体は、四角形状を有し、
前記本体の内部の隅において、互いに対向する外周面に設けられており、前記仕切板の端部が挿入可能な凹部を、さらに備えている、
請求項９に記載のトレイ。
【請求項１１】
底面と、前記底面の外周部から前記底面に交差する方向に立ち上がった外周面と、を有する容器状の本体と、
前記本体の内部空間を複数の空間に仕切る少なくとも１枚の仕切板と、
前記仕切板の上端面に設けられており、トレイ上に置かれる書類を保持する保持部と、
を備えているトレイ。
【請求項１２】
前記保持部は、前記書類が差し込まれる挿入口を有している、
請求項１１に記載のトレイ。
【請求項１３】
前記挿入口は、前記書類を差し込む側に、前記書類を差し込む方向に対して下り斜面となる第１の斜面と、
前記第１の斜面から前記書類が出てくる側に設けられ、前記書類を差し込む方向に対して上り斜面となる第２の斜面と、
を有している、
請求項１２に記載のトレイ。
【請求項１４】
前記第２の斜面における前記書類を差し込む入射角度は、前記第１の斜面における前記書類を差し込む入射角度より大きい、
請求項１３に記載のトレイ。
【請求項１５】
前記保持部は、前記仕切板の幅方向におけるいずれか一方の端部に設けられている、
請求項１１から１４のいずれか１項に記載のトレイ。
【請求項１６】
前記保持部は、前記仕切板の幅方向における両端にそれぞれ設けられている、
請求項１１から１４のいずれか１項に記載のトレイ。
【請求項１７】
前記保持部は、前記仕切板の上端面に、前記書類の大きさに応じて形成された凹状の段差部である、
を備えているトレイ。                                                         
【発明の詳細な説明】
【技術分野】
【０００１】
本発明は、例えば、医薬品等の物品を収納し、搬送するためのトレイに関するものである。
【背景技術】
【０００２】
従来のトレイは、例えば、薬品支払装置に活用されており、以下のような構成となっていた。【０００３】
すなわち、従来のトレイは、底面と、この底面の外周部から上方に立ち上がった外周面とを有する容器状の本体と、この本体の内部を複数の空間を仕切る、少なくとも１枚の仕切板とを備えていた（例えば、下記特許文献１）。
【先行技術文献】
【特許文献】
【０００４】
【特許文献１】特開平５−１６８６５０号公報
【発明の概要】
【０００５】
上記従来の構成では、仕切板の両端に形成されたリブ部を、本体の内側面に形成された嵌合溝に嵌合させることで、仕切板を本体に結合させる構成となっていたが、その操作性は非常に低いものであった。
【０００６】
すなわち、仕切板両端のリブ部と、本体の嵌合溝の両方ともに、その断面形状が台形であったため、作業者が仕切板のリブ部を、本体の嵌合溝へ押し込む際に、両者の細かい位置合わせを行う必要が生じ、その結果として、トレイの操作性を低下させていた。
【０００７】
そこで、本発明は、操作性の高いトレイを提供することを目的とするものである。
上記目的を達成するために、第１発明に係るトレイは、容器状の本体と、少なくとも１枚の仕切板と、案内溝と、リブ部と、嵌合溝と、を備えている。容器状の本体は、底面と、底面の外周部から底面に交差する方向に立ち上がって内部空間を形成する外周面と、を有する。少なくとも１枚の仕切板は、本体の内部空間を複数の空間に仕切る。案内溝は、本体の外周面の内側に底面に交差する方向に沿って設けられており、仕切板の底面方向への移動を案内する。リブ部は、案内溝の中心に設けられており、案内溝の底辺から中部にまで立ち上がっている。嵌合溝は、仕切板の少なくとも一端側に、仕切板を案内溝へ挿入する際の姿勢における下部から上部に向けて設けられており、リブ部に嵌合する。
【０００８】
第２発明に係るトレイは、容器状の本体と、支持部と、を備えている。容器状の本体は、底面と、底面の外周部から底面に交差する方向に立ち上がって内部空間を形成する外周面と、を有する。支持部は、外周面における底面とは反対側の端部に設けられており、上方から重ねられるトレイの底の一部を支持する。
【０００９】
第３発明に係るトレイは、容器状の本体と、少なくとも１枚の仕切板と、略長方形の嵌合溝と、嵌合リブ部と、突起部と、を備えている。容器状の本体は、底面と、底面の外周部から底面に交差する方向に立ち上がって内部空間を形成する外周面と、を有する。少なくとも１枚の仕切板は、本体の内部空間を複数の空間に仕切る。略長方形の嵌合溝は、本体の外周面の内側に底面に交差する方向に沿って設けられており、仕切板の下降移動を案内する。嵌合リブ部は、仕切板の幅方向における両側の側面の少なくとも一方から突出するように設けられており、その下方から上方に向けて嵌合溝に嵌合する略直方体形状を有する。突起部は、仕切板における嵌合リブ部に近接する内側部分に、嵌合リブ部の突出方向に対して交差する両方向に突出するように設けられている。
【００１０】
第４発明に係るトレイは、容器状の本体と、少なくとも１枚の仕切板と、略円形の嵌合溝と、略円形の嵌合リブ部と、を備えている。容器状の本体は、底面と、底面の外周部から底面に交差する方向に立ち上がった外周面と、を有する。少なくとも１枚の仕切板は、本体の内部空間を複数の空間に仕切る。略円形の嵌合溝は、本体の外周面の内側に底面に交差する方向に沿って設けられており、仕切板の底面方向への移動を案内する。略円形の嵌合リブ部は、仕切板の少なくとも一端側に設けられており、仕切板を案内溝へ挿入する際の姿勢における下方から上方に向けて嵌合溝に嵌合する。
【００１１】
第５発明に係るトレイは、容器状の本体と、少なくとも１枚の仕切板と、保持部と、を備えている。容器状の本体は、底面と、底面の外周部から底面に交差する方向に立ち上がった外周面と、を有する。少なくとも１枚の仕切板は、本体の内部空間を複数の空間に仕切る。保持部は、仕切板の上端面に設けられており、トレイ上に置かれる書類を保持する。
【発明の効果】
【００１２】
本発明によれば、本体の外周面内側に仕切板の下降移動を案内する案内溝が設けられているため、仕切板に形成された嵌合溝を本体部に形成されたリブ部と嵌合する位置まで容易に案内することができる。この結果、トレイの操作性を高めることができる。【００１３】
第２発明によれば、外周面における底面とは逆側の隅に支持部を設けているので、複数のトレイを積み重ねた際に、下側のトレイの支持部によって、上側トレイの底面を支えることができる。よって、上側に置かれたトレイを非常に安定した状態で積み重ねることができる。この結果、トレイの操作性を高めることができる。【００１４】
第３発明によれば、仕切板に形成された嵌合リブ部と、本体に形成された嵌合溝とを、非常に簡単に嵌合させることができる。この結果、トレイの操作性を高めることができる。【００１５】
さらに、嵌合リブ部に対して左右方向に突起部が設けられているので、仕切板が、その左右方向の外部からかかる力（例えば、外乱）によって、仕切板の嵌合リブ部が、本体の嵌合溝から抜け出てしまうことを防止することができる。よって、トレイの操作性を高め、かつ信頼性も高めることができる。【００１６】
第４発明によれば、本体の外周面内側には、仕切板の下降移動を案内する円形の嵌合溝が設けられており、仕切板の少なくとも一端（第１端）側にはその下方から上方に向けて嵌合溝に嵌合する円形の嵌合リブ部が設けられている。このため、仕切板に形成された嵌合リブ部と本体に形成された嵌合溝とを非常に簡単に嵌合させることができる。この結果、トレイの操作性を高めることができる。【００１７】
さらに、円形の嵌合リブ部と円形の嵌合溝とが設けられており、その両者を嵌合させることで、仕切板がその左右方向の外部からかかる力（例えば、外乱）に起因して、仕切板の嵌合リブ部が、本体の嵌合溝から抜け出てしまうことを防止することができる。よって、トレイの操作性を高め、かつ信頼性も高めることができる。【００１８】
第５発明によれば、仕切板の少なくとも一端側の上方に、書類を保持する保持部が設けられているため、トレイ上に載置された書類の落下を防止することができる。よって、トレイの作業性を高めるができる。
【図面の簡単な説明】
【００１９】
【図１】本発明の一実施形態に係るトレイの構成を示す斜視図。
【図２】図１のトレイの断面図。
【図３】図１のトレイ本体の一部を拡大した平面視における断面図（図２のＣ−Ｃ断面図）。
【図４】図１のトレイの仕切板の一部を拡大した平面視における断面図（図２のＡ−Ａ断面図）。
【図５】図１のトレイの仕切板の一部を拡大した平面視における断面図（図２のＢ−Ｂ断面図）。
【図６】図１のトレイ本体と仕切板の嵌合状態を示す平面視における断面図（図１のＤ−Ｄ断面図）。
【図７】図１のトレイ本体と仕切板の嵌合状態を示す平面視における断面図（図１のＥ−Ｅ断面図）。
【図８】図１のトレイの使用状態を示す斜視図。
【図９】図１のトレイを積み重ねた使用状態を示す斜視図。
【図１０】図９中の領域Ｆの側断面図。
【図１１】本発明の他の実施形態に係るトレイの構成を示す斜視図。
【図１２】図１１のトレイ体の一部を拡大した平面図（図１１中の領域Ａを拡大した平面図）。
【図１３】図１１のトレイを積み重ねた使用状態を示す斜視図。
【図１４】図１３中の領域Ｆの側断面図。
【図１５】本発明のさらに他の実施形態に係るトレイの構成を示す斜視図。
【図１６】図１５のトレイの側断面図。
【図１７】図１５のトレイの仕切板の端部の形状を拡大した平面視における断面図（図１６のＡ−Ａ断面図）。
【図１８】図１５のトレイ本体の嵌合溝の部分を拡大した平面視における断面図（図１６のＣ−Ｃ断面図）。
【図１９】図１５のトレイ本体と仕切板との嵌合状態を示す平面視における断面図（図１５のＤ−Ｄ断面図）。
【図２０】図１５のトレイの内部空間を最大の状態で使用する状態を示す斜視図。
【図２１】本発明のさらに他の実施形態に係るトレイの構成を示す斜視図。
【図２２】図２１のトレイの側断面図。
【図２３】図２１のトレイの仕切板の端部の形状を拡大した平面視における断面図（図２２のＡ−Ａ断面図）。
【図２４】図２１のトレイ本体の嵌合溝の部分を拡大した平面視における断面図（図２２のＣ−Ｃ断面図）。
【図２５】図１のトレイ本体と仕切板との嵌合状態を示す平面視における断面図（図２１のＤ−Ｄ断面図）。
【図２６】本発明のさらに他の実施形態に係るトレイの構成を示す斜視図。
【図２７】図２６のトレイの仕切板の構成を示す正面図。
【図２８】図２７の仕切板の一部を拡大した正面図（図２７の領域Ａの拡大正面図）。
【図２９】図２６のトレイの仕切板の上部に書類を保持した使用状態を示す斜視図。
【図３０】本発明のさらに他の実施形態に係るトレイの仕切板の構成を示す正面図。
【発明を実施するための形態】
【００２０】
以下、本発明の一実施形態に係るトレイに関して、添付図面を用いて説明する。
なお、以下の説明において、上下方向とは、図１に示すトレイに上方から仕切板５を挿入していく際の姿勢を基準にした上下方向を意味している。
【００２１】
（実施の形態１）
容器状の本体１は、図１に示すように、略四角形の底面２と、底面２の外周部から上方に立ち上がった外周面３と、外周面３の上端から外方に広げられた外周縁４とを備えている。
【００２２】
本体１の内部は、２枚の仕切板５によって３つ（複数）の空間に仕切られる。そして、仕切板５によって仕切られた本体１の内部の空間には、例えば、薬剤が収納される。
【００２３】
本体１と仕切板５とは、いずれも合成樹脂で形成されている。以下、これらの本体１と仕切板５について詳細に説明する。
【００２４】
まず、本体１の底面２は、長方形状を有している。そして、底面２における対向する両方の長辺から立ち上がった外周面３の内側には、図１、図２に示すように、仕切板５の下降移動を案内する案内溝６が設けられている。案内溝６の底部分は、図１に示すトレイの姿勢において、底面２よりも上方に位置している。また、案内溝６の正面視における幅方向の中心には、案内溝６の底辺から中部にかけて形成されたリブ部７が設けられている。
【００２５】
リブ部７は、図３に示すように、外周面３の内面から本体１の内方に向けて突出した形状を有している。リブ部７は、図３に示すように、リブ部７の外周面３に接する側の幅は、リブ部７の先端側（本体１の内方側）の幅よりも狭い状態、つまり平面視において略台形形状を有している。
【００２６】
また、リブ部７の上端は、図２に示すように、案内溝６の高さ方向における上端付近まで形成されているのではなく、中部にまでしか設けられていない。従って、案内溝６の中部より上方は、幅の広い状態となっている。つまり、案内溝６の中部より上方は、仕切板５の幅方向における両端を、リブ部７が形成された部分まで案内するための案内空間となっている。
【００２７】
一方、仕切板５の両端の側面には、トレイに挿入される際の姿勢において、リブ部７に嵌合する嵌合溝８が、下方から上方に向けて設けられている。嵌合溝８の下方部８ａは、図２、図４に示すように、上方部８ｂよりも溝幅が広くなるように形成されている。また、嵌合溝８の上方部８ｂは、図５に示すように、仕切板５がトレイに挿入される際の姿勢における平面視において、その外方の幅がその内方の幅よりも狭くなった略台形形状となっている。
【００２８】
なお、平面視において略台形形状となる嵌合溝８の上方部８ｂの大きさは、上述した略台形形状のリブ部７の幅よりも、わずかに大きくなるように形成されている。
【００２９】
従って、図１に示すように、本体１の内面を仕切板５で仕切る際には、仕切板５の両端を、本体１の外周面３の上端まで開口する案内溝６に沿って下方に押し下げながら移動させる。このとき、案内溝６の上方には、リブ部７が設けられていない。よって、上述のように、仕切板５の両端をリブ部７に案内するための案内空間とすることができるので、仕切板５の下降操作は、極めてスムーズに行われる。
【００３０】
そして、仕切板５の下降に伴って、リブ部７に仕切板５の嵌合溝８の下方部８ａが到達した状態が、図６に示す状態である。
【００３１】
下方部８ａは、図６に示すように、仕切板５を嵌合溝８内へ挿入した状態における平面視において、長方形状の空間を形成し、リブ部７よりも幅方向において大きい。従って、仕切板５の下降に伴って、仕切板５の嵌合溝８が、リブ部７に到達した時点において、リブ部７に対して、仕切板５の嵌合溝８が強く嵌合することはない。むしろ、仕切板５の嵌合溝８を、リブ部７によって下方に案内するような状態で、仕切板５の下降動作が継続される。
【００３２】
そして、この下降動作が継続されていくと、図７に示すように、嵌合溝８の上方部８ｂが、リブ部７に嵌合する。このとき、嵌合溝８の上方部８ｂとリブ部７とは、上述のように、両者とも略台形形状を有している。この両者の嵌合により、仕切板５は、本体１の外周面３に強固に装着された状態となる。
【００３３】
また、本体１の内部空間における隅において、対向する長辺側の外周面には、仕切板５の端部が挿入可能な凹部９が設けられている。つまり、本体１の内部に大容積の収納部を形成するときには、図８に示すように、仕切板５の両端を、それぞれ対向する凹部９内に収納させる。
【００３４】
凹部９の凹み深さ（外周面３の内面から凹んだ距離）は、図３に示すリブ部７の高さとほぼ同じになるように形成されている。このため、図８に示すように、凹部９に仕切板５の端部が収納された状態においては、図６と同様に、凹部９内においては、仕切板５と外周面３とは、微小な空間を隔てて配置されている。よって、不用意に仕切板５が、凹部９から飛び出すことを防止することができる。
【００３５】
さて、このような形状のトレイは、図９、図１０に示すように、上下に重ねた状態で搬送や収納が行われる。このとき、上方のトレイは、下方のトレイの凹部９の上方に形成された面において支持される。つまり、図９、図１０に示すように、容器状の本体１の隅に設けられた凹部９近傍の外周縁４には、上方のトレイの底面２の下面を受け止める面となる支持部１０が設けられている。このため、支持部１０によって、上方のトレイの底部分は、下方のトレイの支持部１０の面上において支持される。
【００３６】
なお、支持部１０は、図１０に示すように、外周縁４の上面よりも一段下がった凹部形状を有している。さらに、支持部１０の外周側であって、外周縁４の内周側の部分には、上方に向けて突出する凸部１１が設けられている。これにより、上方のトレイの底部分を、下方のトレイの支持部１０の面上に、適切に案内して支持することができる。
【００３７】
（実施の形態２）
本発明の他の実施形態に係るトレイについて、図１１〜図１４を用いて説明すれば以下の通りである。
【００３８】
容器状の本体１０１は、図１１に示すように、略四角形の底面１０２と、底面１０２の外周部から上方に立ち上がった外周面１０３と、外周面１０３の上端から外方に広げられた外周縁１０４とを備えている。
【００３９】
本体１０１の内部は、２枚の仕切板１０５によって３つ（複数）の空間に仕切られる。そして、仕切板１０５によって仕切られた本体１０１の内部の空間には、例えば、薬剤が収納される。
【００４０】
本体１０１と仕切板１０５とは、いずれも合成樹脂で形成されている。
以下、これらの本体１０１と仕切板１０５について詳細に説明する。
【００４１】
まず、本体１０１の底面１０２は、長方形状を有している。そして、底面１０２における対向する両方の長辺から立ち上がった外周面１０３の内側には、図１１、図１２に示すように、仕切板１０５の下降移動を案内する案内溝１０６が設けられている。案内溝１０６の底部分は、図１１に示すトレイの姿勢において、底面１０２よりも上方に位置している。また、案内溝１０６の正面視における中心には、案内溝１０６の底辺から中部にかけて形成されたリブ部１０７が設けられている。
【００４２】
一方、仕切板１０５の両端の側面には、トレイに挿入される際の姿勢において、リブ部１０７に嵌合する嵌合溝１０８が、その下方から上方に向けて設けられている。
【００４３】
そして、図１１に示すように、嵌合溝１０８は、リブ部１０７に嵌合する。これにより、この両者の嵌合により、仕切板１０５は本体１０１の外周面１０３に強固に装着された状態となる。
【００４４】
さて、このような形状のトレイは、図１３、図１４に示すように、上下に重ねられた状態で搬送されたり収納されたりする。このとき、上方のトレイは、下方のトレイの凹部１０９の上方に形成された面において支持される。つまり、図１３、図１４に示すように、容器状の本体１の隅に設けられた凹部１０９近傍の外周縁１０４には、上方のトレイの底面１０２の下面を受け止める面となる支持部１１０が設けられている。このため、支持部１１０によって、上方のトレイの底部分は、下方のトレイの支持部１１０の面上において支持される。
【００４５】
なお、支持部１１０は、図１４に示すように、外周縁１０４の上面よりも一段下がった凹部形状を有している。さらに、支持部１１０の外周側であって、外周縁１０４の内周側の部分には、上方に向けて突出する凸部１１１が設けられている。これにより、上方のトレイの底部分を、下方のトレイの支持部１１０の面上に、適切に案内して支持することができる。
【００４６】
（実施の形態３）
本発明のさらに他の実施形態に係るトレイについて、図１５〜図２０を用いて説明すれば以下の通りである。
【００４７】
容器状の本体２０１は、図１５に示すように、略四角形の底面２０２と、底面２０２の外周部から上方に立ち上がった外周面２０３と、外周面２０３の上端から外方に広げられた外周縁２０４とを備えている。
【００４８】
本体２０１の内部は、２枚の仕切板２０５によって３つ（複数）の空間に仕切られる。そして、仕切板２０５によって仕切られた本体２０１の内部の空間には、例えば、薬剤が収納される。
【００４９】
本体２０１と仕切板２０５とは、いずれも合成樹脂で形成されている。
以下、これらの本体２０１と仕切板２０５について詳細に説明する。
【００５０】
まず、本体２０１の底面２０２は、長方形状を有している。そして、底面２０２における対向する両方の長辺から立ち上がった外周面２０３の内側には、図１５、図１６、図１８に示すように、仕切板２０５の下降移動を案内する略長方形の嵌合溝２０６が設けられている。
【００５１】
ここで、嵌合溝２０６の底部分は、図１５に示すトレイの姿勢において、底面２０２よりも上方に位置している。さらに、図１６に示すように、嵌合溝２０６は、下方の溝幅よりも上方の溝幅が広くなるように形成されている。
【００５２】
一方、仕切板２０５の両端の側面には、図１５、図１６、図１７に示すように、トレイに挿入される際の姿勢において、嵌合溝２０６に嵌合する略直方体形状の嵌合リブ部２０８が、その下方から上方に向けて設けられている。
【００５３】
従って、図１５に示すように、本体２０１の内部空間を、仕切板２０５によって仕切る際には、仕切板２０５の両端を、本体２０１の外周面２０３上端まで開口する嵌合溝２０６に沿って移動させて、仕切板２０５を下方に押し下げる。このとき、嵌合溝２０６と嵌合リブ部２０８との断面形状がともに略長方形であるため、仕切板２０５の下降操作は、極めてスムーズに行われる。
【００５４】
さらに、仕切板２０５の両側の側面には、図１５、図１７に示すように、嵌合リブ部２０８に対して左右方向に突出する突起部２１２が設けられている。つまり、突起部２１２は、仕切板２０５における幅方向両側の両面から、嵌合リブ部２０８の突出方向に交差する方向に突出するように、それぞれ形成されている。
【００５５】
そして、嵌合溝２０６に仕切板２０５の嵌合リブ部２０８が下降していくと、図１９に示すように、当然、突起部２１２は、嵌合リブ部２０８の幅より大きくなるように形成されている。
【００５６】
従って、仕切板２０５の下降に伴って仕切板２０５の嵌合リブ部２０８が、嵌合溝２０６に嵌合された状態においては、図１９中の矢印Ｆの方向に力が加わった場合（例えば外乱が加わった場合）においても、仕切板２０５の嵌合リブ部２０８が、本体２０１の嵌合溝２０６から抜けにくくすることができる。その結果、仕切板２０５は、本体２０１の外周面２０３に強固に装着された状態となる。
【００５７】
すなわち、本実施形態のトレイでは、嵌合リブ部２０８の近傍に、嵌合リブ部２０８の突出方向に略垂直な方向に突出する突起部２１２が設けられている。これにより、仕切板２０５が、その左右方向の外部からかかる力（例えば、図１９中の矢印Ｆに相当する外乱）に起因して仕切板２０５の嵌合リブ部２０８が、本体２０１の嵌合溝２０６から抜け出てしまうことを防止することができる。その結果、トレイの操作性、信頼性を高めることができる。
【００５８】
また、本体２０１内部空間の端部において、互いに対向する２つの長辺側の外周面には、仕切板２０５の端部が挿入可能な凹部２０９が設けられている。つまり、本体２０１の内部空間に大容積の収納部を形成する場合には、図２０に示すように、仕切板２０５の両端を、互いに対向する位置に形成された凹部２０９に収納させる。
【００５９】
なお、凹部２０９の深さ（外周面２０３の内面から凹んだ距離）は、図１８に示した嵌合溝２０６の深さとほぼ同じ深さとしている。このため、図２０に示すように、互いに対向する位置に配置された２つの凹部２０９に仕切板２０５の両端が収納された状態においては、仕切板２０５と外周面２０３とは、凹部２０９内においては、微小な空間を隔てて配置されている。よって、不用意に仕切板２０５が、凹部２０９から飛び出すことを防止することができる。
【００６０】
（実施の形態４）
本発明のさらに他の実施形態に係るトレイについて、図２１〜図２５を用いて説明すれば以下の通りである。
【００６１】
容器状の本体３０１は、図２１に示すように、略四角形の底面３０２と、底面３０２の外周部から上方に立ち上がった外周面３０３と、外周面３０３の上端から外方に広げられた外周縁３０４とを備えている。
【００６２】
本体３０１の内部は、２枚の仕切板３０５によって３つ（複数）の空間に仕切られる。そして、仕切板３０５によって仕切られた本体３０１の内部の空間には、例えば、薬剤が収納される。
【００６３】
本体３０１と仕切板３０５とは、いずれも合成樹脂で形成されている。
以下、これらの本体３０１と仕切板３０５について詳細に説明する。
【００６４】
まず、本体３０１の底面は略長方形状を有している。そして、互いに対向する２つの長辺から立ち上がった外周面３０３の内側には、図２１、図２２、図２４に示すように、仕切板３０５の下降移動を案内する嵌合溝３０６が設けられている。
【００６５】
嵌合溝３０６は、図２４に示すように、平面視において、略円形状を有している。
ここで、平面視において略円形の嵌合溝３０６の底部分は、図２１に示すトレイの姿勢において、本体３０１の底面３０２よりも上方に位置している。さらに、図２２に示すように、嵌合溝３０６は、下方の溝幅よりも上方の溝幅が広くなるように形成されている。
【００６６】
一方、仕切板３０５の両端の側面には、図２１、図２２、図２３に示すように、平面視において略円形の嵌合溝３０６に嵌合するように、平面視において略円形の嵌合リブ部３０８が下方から上方に向けて設けられている。
【００６７】
従って、図２１に示すように、本体３０１の内部空間を、仕切板３０５を用いて仕切る際には、仕切板３０５の両端を、本体３０１の外周面３０３上端まで開口する嵌合溝３０６に沿って移動させながら、仕切板３０５を下方に押し下げる。このとき、嵌合溝３０６と嵌合リブ部３０８とは、ともに略円形の形状となっているため、仕切板３０５の下降操作は、極めてスムーズに行われる。
【００６８】
また、仕切板３０５の下降に伴って、仕切板３０５の嵌合リブ部３０８が、嵌合溝３０６に嵌合された状態においては、図２５中の矢印Ｆの方向に力が加わった場合（例えば、外乱が加わった場合）においても、嵌合溝３０６内における嵌合リブ部３０８との間には微小な隙間しかないため、仕切板３０５の嵌合リブ部３０８を、本体３０１の嵌合溝３０６から抜けにくくすることができる。その結果、仕切板３０５は、本体３０１の外周面３０３に強固に装着された状態となる。
【００６９】
すなわち、略円形の嵌合溝３０６と、同じく略円形の嵌合リブ部３０８とを互いに嵌合させた状態で仕切板３０５が装着されるため、仕切板３０５が、その左右方向の外部からかかる力（例えば、図２５中の矢印Ｆに相当する外乱）に起因して、仕切板３０５の嵌合リブ部３０８が、本体３０１の嵌合溝３０６から抜けて出てしまうことを防止することができる。その結果、トレイの操作性、信頼性を高めることができる。
【００７０】
（実施の形態５）
本発明のさらに他の実施形態に係るトレイについて、図２６〜図２９を用いて説明すれば以下の通りである。
【００７１】
ここで、例えば、医薬品等の物品を収納した場合、その物品の情報（例えば、薬品名）等を記述された書類を準備し、その書類をこのトレイ上に載置することによって、そのトレイを取り扱う作業者（例えば看護師）が、その収納された物品の情報等を容易の確認できるように取り扱われることがある。
【００７２】
しかしながら、上記従来のトレイにおいては、収納された物品の情報が記述された書類を、物品が収納されたトレイの情報に載置すると、トレイの運搬時等に、その書類がトレイから落ちてしまうため、その結果として、トレイの作業性が非常に悪いものであった。
【００７３】
そこで、本発明は、トレイ上に載置された書類の落下を防止し、トレイの作業性を高めることを目的とするものである。
【００７４】
容器状の本体４０１は、図２６に示すように、略四角形の底面４０２と、底面４０２の外周部から上方に立ち上がった外周面４０３と、外周面４０３の上端から外方に広げられた外周縁４０４と、を備えている。
【００７５】
本体４０１の内部は、２枚の仕切板４０５によって３つ（複数）の空間に仕切られている（図２６では、仕切板４０５は１つのみ記載している。）。そして、仕切板４０５によって仕切られた本体４０１の内部の空間には、例えば、薬剤が収納される。
【００７６】
本体４０１と仕切板４０５とは、いずれも合成樹脂で形成されている。
以下、これらの本体４０１と仕切板４０５について詳細に説明する。
【００７７】
まず、本体４０１の底面には長方形状を有している。そして、互いに対向する２つの長辺側から立ち上がった外周面４０３の内側には、図２６に示すように、仕切板４０５の下降移動を案内する案内溝４０６が設けられている。案内溝４０６の底部分は、図２６に示すトレイの姿勢において、底面４０２よりも上方に位置している。また、案内溝４０６の中心には、底辺から中部に立ち上がったリブ部４０７を設けている。
【００７８】
案内溝４０６内に形成されたリブ部４０７は、外周面４０３の内面から本体４０１の内方に向けて突出した形状を有している。そして、図２６に示すように、リブ部４０７の外周面４０３に連結された側の幅は、リブ部４０７の先端側（本体４０１の内方側）の幅よりも狭い。つまり、リブ部４０７は、平面視において略台形形状を有している。
【００７９】
また、リブ部４０７の上端は、図２６に示すように、案内溝４０６内における中部までしか設けられていない。従って、案内溝４０６は、その中部より上方が幅が広い状態となっている。つまり、案内溝４０６の中部より上方は、仕切板４０５の両端をリブ部４０７に案内するための案内空間となっている。
【００８０】
一方、仕切板４０５の両端の側面には、リブ部４０７に嵌合する嵌合溝４０８が、下方から上方に向けて設けられている。嵌合溝４０８の下方部４０８ａは、図２６に示すように、上方部４０８ｂよりも溝幅が広くなっている。また、嵌合溝４０８の上方部４０８ｂは、図２６に示すように、その下端側から上方に向かって幅が徐々に狭くなっていく略台形形状を有している。
【００８１】
なお、このように略台形形状となった嵌合溝４０８の上方部４０８ｂの幅は、上述した略台形形状のリブ部４０７の先端部分の幅よりも、わずかに大きくなっている。
【００８２】
従って、図２６に示すように、本体４０１の内部空間を仕切板４０５で仕切る場合には、仕切板４０５の両端を、本体４０１の外周面４０３上端まで開口する案内溝４０６に沿って移動させて、仕切板４０５を下方に押し下げる。このとき、案内溝４０６の上部分は、リブ部４０７が設けられておらず、仕切板４０５の両端をリブ部４０７へと案内するための案内空間としているので、仕切板４０５の下降操作は極めてスムーズに行われる。
【００８３】
そして、仕切板４０５の下降に伴って仕切板４０５の嵌合溝４０８が、リブ部４０７に到達すると、リブ部４０７に対して、仕切板４０５の両側端面に形成された嵌合溝４０８が強く嵌合することはない。むしろ、仕切板４０５の嵌合溝４０８をリブ部４０７によって下方に仕切板４０５を案内しながら、仕切板４０５の下降動作が継続される。
【００８４】
そして、この下降動作が継続された結果、最終的には、嵌合溝４０８の上方部４０８ｂがリブ部４０７に嵌合する。このとき、嵌合溝４０８の上方部４０８ｂとリブ部４０７とは、上述のように、両者とも略台形形状を有している。このため、両者の嵌合により、仕切板４０５は本体４０１の外周面４０３の間において強固に装着された状態となる。
【００８５】
次に、仕切板４０５に関して詳しく説明する。
図２７は、本実施形態の仕切板４０５の正面図を示している。
【００８６】
本実施形態のトレイは、図２７に示すように、仕切板４０５の少なくとも一端側（本実施形態においては左右両端）の上面に、保持部４０９が設けられている。
【００８７】
保持部４０９は、トレイの本体４０１上に載置する書類（例えば、本体４０１に収納された物品の情報を記述された書類）４１３（図２９参照）を保持する。
【００８８】
次に、保持部４０９が、本体４０１上に載置された書類４１３を保持する機構に関して詳しく説明する。
【００８９】
図２８は、本実施形態の仕切板４０５の保持部４０９の部分を拡大した正面図（図２７中の領域Ａの拡大側面図）である。
【００９０】
保持部４０９は、図２７、図２８に示すように、書類４１３を差し込むための挿入口４１０を有している。よって、トレイの本体４０１上に載置される書類４１３は、挿入口４１０から挿入される。また、図２８に示すように、挿入口４１０には、書類４１３が差し込まれる側に設けられた第１の斜面４１１と、第１の斜面４１１の奥側に設けられた第２の斜面４１２とが形成されている。
【００９１】
第１の斜面４１１は、図２８に示すように、書類４１３が差し込まれる方向（図２８中の矢印Ｂの方向）に対して、下り斜面となるように形成されている。
【００９２】
第２の斜面４１２は、書類４１３が差し込まれる方向（図２８中の矢印Ｂの方向）に対して、上り斜面となるように形成されている。
【００９３】
すなわち、図２８に示すように、挿入口４１０は、第１の斜面４１１と第２の斜面４１２とによって略Ｌ字形状になるように形成されている。これにより、保持部４０９に挿入された書類４１３が抜けないように保持することができる。
【００９４】
また、本実施形態のトレイでは、図２８に示すように、第２の斜面４１２における書類を差し込む入射角度Ｄは、第１の斜面４１１における書類を差し込む入射角度Ｃよりも大きくなるように形成されている。これにより、書類４１３を保持部４０９に挿入する作業性をより向上させるとともに、保持部４０９において書類４１３を保持する保持力をより大きくすることができる。
【００９５】
以上が、保持部４０９によって、トレイ上に載置された書類４１３を保持する機構の説明である。
【００９６】
図２９は、本実施形態のトレイ上に書類４１３を載置した使用状態を示す斜視図である。
【００９７】
本体４０１上に載置された書類４１３は、図２９に示すように、仕切板４０５の少なくとも一端側の上端面に形成された（本実施形態においては両端）保持部４０９において保持することができる。
【００９８】
なお、本実施形態において、保持部４０９は、仕切板４０５の両端の上端面に形成されている。
【００９９】
これにより、例えば、図２９に示すように、２つの仕切板４０５の保持部４０９を用いて、書類４１３を保持する場合には、仕切板４０５の上端面の両端にそれぞれ保持部４０９が設けられているため、仕切板４０５を本体４０１に差し込む際に、作業者は、差し込む方向を考慮する必要がない。この結果、トレイの作業性をより向上させることができる。
【０１００】
（実施の形態６）
本発明のさらに他の実施形態に係るトレイについて、図３０を用いて説明すれば以下の通りである。
【０１０１】
ここでは、上記実施形態５と同様に、例えば、医薬品等の物品を収納した場合、その物品の情報（例えば、薬品名）等を記述された書類を準備し、その書類がこのトレイ上に載置される場合について説明する。
【０１０２】
本実施形態のトレイでは、図３０に示すように、トレイ上に書類５１３が載置された状態において、例えば、トレイの搬送中等において、書類５１３がトレイ上からずれてしまうことを防止するために、仕切板５０５の上面に、実施形態５の保持部の他の形態として、以下のような書類を保持するための機構を備えている。
【０１０３】
すなわち、図３０に示すように、仕切板５０５は、書類５１３が載置される上端面に、凹状の段差部５１１を有している。
【０１０４】
段差部５１１は、仕切板５０５の両端付近に形成された傾斜部５１２ａ，５１２ｂに挟まれるように、仕切板５０５のほぼ中央部に形成されている。つまり、段差部５１１は、仕切板５０５の幅方向における両端付近に形成された傾斜部５１２ａ，５１２ｂを介して一段低くなるように形成された凹み部分である。
【０１０５】
これにより、トレイ上に載置された書類５１３は、図３０に示すように、その両端が傾斜部５１２ａ，５１２ｂによって保持されることで、トレイの搬送中等に、書類５１３が誤ってトレイ上からずれにくくすることができる。
【産業上の利用可能性】
【０１０６】
本発明は、操作性の高いトレイを提供できるという効果を奏するものであることから、例えば、医薬品等の物品を収納するトレイなどへの活用が期待される。
【符号の説明】
【０１０７】
１      本体
２      底面
３      外周面
４      外周縁
５      仕切板
６      案内溝
７      リブ部
８      嵌合溝
８ａ    下方部
８ｂ    上方部
９      凹部
１０      支持部
１１      凸部
１０１      本体
１０２      底面
１０３      外周面
１０４      外周縁
１０５      仕切板
１０６      案内溝
１０７      リブ部
１０８      嵌合溝
１１０      支持部
１１１      凸部
２０１      本体
２０２      底面
２０３      外周面
２０４      外周縁
２０５      仕切板
２０６      嵌合溝
２０８      嵌合リブ部
２０９      凹部
２１２      突起部
３０１      本体
３０２      底面
３０３      外周面
３０４      外周縁
３０５      仕切板
３０６      嵌合溝
３０８      嵌合リブ部
４０１      本体
４０２      底面
４０３      外周面
４０４      外周縁
４０５      仕切板
４０６      案内溝
４０７      リブ部
４０８      嵌合溝
４０８ａ    下方部
４０８ｂ    上方部
４０９      保持部
４１０      挿入口
４１１      第１の斜面
４１２      第２の斜面
４１３      書類
５０５      仕切板
５１１      段差部（保持部）
５１２ａ，５１２ｂ  傾斜部
５１３      書類
【図１】
2013011672.tif 000003
【図２】
2013011672.tif 000004
【図３】
2013011672.tif 000005
【図４】
2013011672.tif 000006
【図５】
2013011672.tif 000007
【図６】
2013011672.tif 000008
【図７】
2013011672.tif 000009
【図８】
2013011672.tif 000010
【図９】
2013011672.tif 000011
【図１０】
2013011672.tif 000012
【図１１】
2013011672.tif 000013
【図１２】
2013011672.tif 000014
【図１３】
2013011672.tif 000015
【図１４】
2013011672.tif 000016
【図１５】
2013011672.tif 000017
【図１６】
2013011672.tif 000018
【図１７】
2013011672.tif 000019
【図１８】
2013011672.tif 000020
【図１９】
2013011672.tif 000021
【図２０】
2013011672.tif 000022
【図２１】
2013011672.tif 000023
【図２２】
2013011672.tif 000024
【図２３】
2013011672.tif 000025
【図２４】
2013011672.tif 000026
【図２５】
2013011672.tif 000027
【図２６】
2013011672.tif 000028
【図２７】
2013011672.tif 000029
【図２８】
2013011672.tif 000030
【図２９】
2013011672.tif 000031
【図３０】
2013011672.tif 000032
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
底面と、前記底面の外周部から前記底面に交差する方向に立ち上がって内部空間を形成する外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の前記底面方向への移動を案内する案内溝と、
前記案内溝の中心に設けられており、前記案内溝の底辺から中部にまで立ち上がったリブ部と、
前記仕切板の少なくとも一端側に、前記仕切板を前記案内溝へ挿入する際の姿勢における下部から上部に向けて設けられており、前記リブ部に嵌合する嵌合溝と、
を備えているトレイ。
【請求項２】
前記嵌合溝は、前記仕切板を上方から前記案内溝へ挿入する状態において、下方が上方よりも溝幅が広くなるように形成されている、
請求項１に記載のトレイ。
【請求項３】
前記本体は、略四角形状を有し、
前記本体の内部の隅において、互いに対向する外周面に設けられており、前記仕切板の端部が挿入可能な凹部を、さらに備えている、
請求項１または２に記載のトレイ。
【請求項４】
前記本体の略四角形状の四隅に形成された凹状の上面の外周側に設けられており、上方から重ねられるトレイの底の一部を支持する支持部を、さらに備えている、
請求項１から３のいずれか１項に記載のトレイ。
【請求項５】
底面と、前記底面の外周部から前記底面に交差する方向に立ち上がった外周面と、を有する容器状の本体と、
前記本体の内部空間を複数の空間に仕切る少なくとも１枚の仕切板と、
前記仕切板の上端面に設けられており、トレイ上に置かれる書類を保持する保持部と、
を備えているトレイ。
【請求項６】
前記保持部は、前記仕切板の上端面に、前記書類の大きさに応じて形成された凹状の段差部である、
請求項５に記載のトレイ。
【請求項７】
前記保持部は、前記書類が差し込まれる挿入口を有している、
請求項５に記載のトレイ。
【請求項８】
前記挿入口は、前記書類を差し込む側に、前記書類を差し込む方向に対して下り斜面となる第１の斜面と、
前記第１の斜面から前記書類が出てくる側に設けられ、前記書類を差し込む方向に対して上り斜面となる第２の斜面と、
を有している、
請求項７に記載のトレイ。
【請求項９】
前記第２の斜面における前記書類を差し込む入射角度は、前記第１の斜面における前記書類を差し込む入射角度より大きい、
請求項８に記載のトレイ。
【請求項１０】
前記保持部は、前記仕切板の幅方向におけるいずれか一方の端部に設けられている、
請求項５から９のいずれか１項に記載のトレイ。
【請求項１１】
前記保持部は、前記仕切板の幅方向における両端にそれぞれ設けられている、
請求項５から９のいずれか１項に記載のトレイ。
【請求項１２】
底面と、前記底面の外周部から前記底面に交差する方向に立ち上がって内部空間を形成する外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の下降移動を案内する略長方形の嵌合溝と、
前記仕切板の幅方向における両側の側面の少なくとも一方から突出するように設けられており、その下方から上方に向けて前記嵌合溝に嵌合する略直方体形状を有する嵌合リブ部と、
前記仕切板における前記嵌合リブ部に近接する内側部分に、前記嵌合リブ部の突出方向に対して交差する両方向に突出するように設けられた突起部と、
略四角形状の前記本体の前記内部空間の端部において、互いに対向する２つの外周面にそれぞれ設けられており、前記仕切板の端部が挿入可能な凹部と、
を備えているトレイ。
【請求項１３】
底面と、前記底面の外周部から前記底面に交差する方向に立ち上がった外周面と、を有する容器状の本体と、
前記本体の内部空間を複数の空間に仕切る少なくとも１枚の仕切板と、
前記本体の前記外周面の内側に前記底面に交差する方向に沿って設けられており、前記仕切板の前記底面方向への移動を案内する略円形の嵌合溝と、
前記仕切板の少なくとも一端側に設けられており、前記仕切板を前記嵌合溝へ挿入する際の姿勢における下方から上方に向けて前記嵌合溝に嵌合する略円形の嵌合リブ部と、
四角形状の前記本体の内部の隅において、互いに対向する外周面に設けられており、前記仕切板の端部が挿入可能な凹部と、
を備えているトレイ。
【手続補正２】
【補正対象書類名】明細書
【補正対象項目名】全文
【補正方法】変更
【補正の内容】
【発明の詳細な説明】
【技術分野】
【０００１】
本発明は、例えば、医薬品等の物品を収納し、搬送するためのトレイに関するものである。
【背景技術】
【０００２】
従来のトレイは、例えば、薬品支払装置に活用されており、以下のような構成となっていた。
すなわち、従来のトレイは、底面と、この底面の外周部から上方に立ち上がった外周面とを有する容器状の本体と、この本体の内部を複数の空間を仕切る、少なくとも１枚の仕切板とを備えていた（例えば、下記特許文献１）。
【先行技術文献】
【特許文献】
【０００３】
【特許文献１】特開平５−１６８６５０号公報
【発明の概要】
【０００４】
上記従来の構成では、仕切板の両端に形成されたリブ部を、本体の内側面に形成された嵌合溝に嵌合させることで、仕切板を本体に結合させる構成となっていたが、その操作性は非常に低いものであった。
すなわち、仕切板両端のリブ部と、本体の嵌合溝の両方ともに、その断面形状が台形であったため、作業者が仕切板のリブ部を、本体の嵌合溝へ押し込む際に、両者の細かい位置合わせを行う必要が生じ、その結果として、トレイの操作性を低下させていた。
【０００５】
そこで、本発明は、操作性の高いトレイを提供することを目的とするものである。
上記目的を達成するために、第１発明に係るトレイは、容器状の本体と、少なくとも１枚の仕切板と、案内溝と、リブ部と、嵌合溝と、を備えている。容器状の本体は、底面と、底面の外周部から底面に交差する方向に立ち上がって内部空間を形成する外周面と、を有する。少なくとも１枚の仕切板は、本体の内部空間を複数の空間に仕切る。案内溝は、本体の外周面の内側に底面に交差する方向に沿って設けられており、仕切板の底面方向への移動を案内する。リブ部は、案内溝の中心に設けられており、案内溝の底辺から中部にまで立ち上がっている。嵌合溝は、仕切板の少なくとも一端側に、仕切板を案内溝へ挿入する際の姿勢における下部から上部に向けて設けられており、リブ部に嵌合する。
【０００６】
第２発明に係るトレイは、容器状の本体と、支持部と、を備えている。容器状の本体は、底面と、底面の外周部から底面に交差する方向に立ち上がって内部空間を形成する外周面と、を有する。支持部は、外周面における底面とは反対側の端部に設けられており、上方から重ねられるトレイの底の一部を支持する。
第３発明に係るトレイは、容器状の本体と、少なくとも１枚の仕切板と、略長方形の嵌合溝と、嵌合リブ部と、突起部と、を備えている。容器状の本体は、底面と、底面の外周部から底面に交差する方向に立ち上がって内部空間を形成する外周面と、を有する。少なくとも１枚の仕切板は、本体の内部空間を複数の空間に仕切る。略長方形の嵌合溝は、本体の外周面の内側に底面に交差する方向に沿って設けられており、仕切板の下降移動を案内する。嵌合リブ部は、仕切板の幅方向における両側の側面の少なくとも一方から突出するように設けられており、その下方から上方に向けて嵌合溝に嵌合する略直方体形状を有する。突起部は、仕切板における嵌合リブ部に近接する内側部分に、嵌合リブ部の突出方向に対して交差する両方向に突出するように設けられている。
【０００７】
第４発明に係るトレイは、容器状の本体と、少なくとも１枚の仕切板と、略円形の嵌合溝と、略円形の嵌合リブ部と、を備えている。容器状の本体は、底面と、底面の外周部から底面に交差する方向に立ち上がった外周面と、を有する。少なくとも１枚の仕切板は、本体の内部空間を複数の空間に仕切る。略円形の嵌合溝は、本体の外周面の内側に底面に交差する方向に沿って設けられており、仕切板の底面方向への移動を案内する。略円形の嵌合リブ部は、仕切板の少なくとも一端側に設けられており、仕切板を案内溝へ挿入する際の姿勢における下方から上方に向けて嵌合溝に嵌合する。
【０００８】
第５発明に係るトレイは、容器状の本体と、少なくとも１枚の仕切板と、保持部と、を備えている。容器状の本体は、底面と、底面の外周部から底面に交差する方向に立ち上がった外周面と、を有する。少なくとも１枚の仕切板は、本体の内部空間を複数の空間に仕切る。保持部は、仕切板の上端面に設けられており、トレイ上に置かれる書類を保持する。
【発明の効果】
【０００９】
本発明によれば、本体の外周面内側に仕切板の下降移動を案内する案内溝が設けられているため、仕切板に形成された嵌合溝を本体部に形成されたリブ部と嵌合する位置まで容易に案内することができる。この結果、トレイの操作性を高めることができる。
第２発明によれば、外周面における底面とは逆側の隅に支持部を設けているので、複数のトレイを積み重ねた際に、下側のトレイの支持部によって、上側トレイの底面を支えることができる。よって、上側に置かれたトレイを非常に安定した状態で積み重ねることができる。この結果、トレイの操作性を高めることができる。
【００１０】
第３発明によれば、仕切板に形成された嵌合リブ部と、本体に形成された嵌合溝とを、非常に簡単に嵌合させることができる。この結果、トレイの操作性を高めることができる。
さらに、嵌合リブ部に対して左右方向に突起部が設けられているので、仕切板が、その左右方向の外部からかかる力（例えば、外乱）によって、仕切板の嵌合リブ部が、本体の嵌合溝から抜け出てしまうことを防止することができる。よって、トレイの操作性を高め、かつ信頼性も高めることができる。
【００１１】
第４発明によれば、本体の外周面内側には、仕切板の下降移動を案内する円形の嵌合溝が設けられており、仕切板の少なくとも一端（第１端）側にはその下方から上方に向けて嵌合溝に嵌合する円形の嵌合リブ部が設けられている。このため、仕切板に形成された嵌合リブ部と本体に形成された嵌合溝とを非常に簡単に嵌合させることができる。この結果、トレイの操作性を高めることができる。
さらに、円形の嵌合リブ部と円形の嵌合溝とが設けられており、その両者を嵌合させることで、仕切板がその左右方向の外部からかかる力（例えば、外乱）に起因して、仕切板の嵌合リブ部が、本体の嵌合溝から抜け出てしまうことを防止することができる。よって、トレイの操作性を高め、かつ信頼性も高めることができる。
【００１２】
第５発明によれば、仕切板の少なくとも一端側の上方に、書類を保持する保持部が設けられているため、トレイ上に載置された書類の落下を防止することができる。よって、トレイの作業性を高めるができる。
【図面の簡単な説明】
【００１３】
【図１】本発明の一実施形態に係るトレイの構成を示す斜視図。
【図２】図１のトレイの断面図。
【図３】図１のトレイ本体の一部を拡大した平面視における断面図（図２のＣ−Ｃ断面図）。
【図４】図１のトレイの仕切板の一部を拡大した平面視における断面図（図２のＡ−Ａ断面図）。
【図５】図１のトレイの仕切板の一部を拡大した平面視における断面図（図２のＢ−Ｂ断面図）。
【図６】図１のトレイ本体と仕切板の嵌合状態を示す平面視における断面図（図１のＤ−Ｄ断面図）。
【図７】図１のトレイ本体と仕切板の嵌合状態を示す平面視における断面図（図１のＥ−Ｅ断面図）。
【図８】図１のトレイの使用状態を示す斜視図。
【図９】図１のトレイを積み重ねた使用状態を示す斜視図。
【図１０】図９中の領域Ｆの側断面図。
【図１１】本発明の他の実施形態に係るトレイの構成を示す斜視図。
【図１２】図１１のトレイ本体の一部を拡大した平面図（図１１中の領域Ａを拡大した平面図）。
【図１３】図１１のトレイを積み重ねた使用状態を示す斜視図。
【図１４】図１３中の領域Ｆの側断面図。
【図１５】本発明のさらに他の実施形態に係るトレイの構成を示す斜視図。
【図１６】図１５のトレイの側断面図。
【図１７】図１５のトレイの仕切板の端部の形状を拡大した平面視における断面図（図１６のＡ−Ａ断面図）。
【図１８】図１５のトレイ本体の嵌合溝の部分を拡大した平面視における断面図（図１６のＣ−Ｃ断面図）。
【図１９】図１５のトレイ本体と仕切板との嵌合状態を示す平面視における断面図（図１５のＤ−Ｄ断面図）。
【図２０】図１５のトレイの内部空間を最大の状態で使用する状態を示す斜視図。
【図２１】本発明のさらに他の実施形態に係るトレイの構成を示す斜視図。
【図２２】図２１のトレイの側断面図。
【図２３】図２１のトレイの仕切板の端部の形状を拡大した平面視における断面図（図２２のＡ−Ａ断面図）。
【図２４】図２１のトレイ本体の嵌合溝の部分を拡大した平面視における断面図（図２２のＣ−Ｃ断面図）。
【図２５】図１のトレイ本体と仕切板との嵌合状態を示す平面視における断面図（図２１のＤ−Ｄ断面図）。
【図２６】本発明のさらに他の実施形態に係るトレイの構成を示す斜視図。
【図２７】図２６のトレイの仕切板の構成を示す正面図。
【図２８】図２７の仕切板の一部を拡大した正面図（図２７の領域Ａの拡大正面図）。
【図２９】図２６のトレイの仕切板の上部に書類を保持した使用状態を示す斜視図。
【図３０】本発明のさらに他の実施形態に係るトレイの仕切板の構成を示す正面図。
【発明を実施するための形態】
【００１４】
以下、本発明の一実施形態に係るトレイに関して、添付図面を用いて説明する。
なお、以下の説明において、上下方向とは、図１に示すトレイに上方から仕切板５を挿入していく際の姿勢を基準にした上下方向を意味している。
（実施の形態１）
容器状の本体１は、図１に示すように、略四角形の底面２と、底面２の外周部から上方に立ち上がった外周面３と、外周面３の上端から外方に広げられた外周縁４とを備えている。
【００１５】
本体１の内部は、２枚の仕切板５によって３つ（複数）の空間に仕切られる。そして、仕切板５によって仕切られた本体１の内部の空間には、例えば、薬剤が収納される。
本体１と仕切板５とは、いずれも合成樹脂で形成されている。以下、これらの本体１と仕切板５について詳細に説明する。
まず、本体１の底面２は、長方形状を有している。そして、底面２における対向する両方の長辺から立ち上がった外周面３の内側には、図１、図２に示すように、仕切板５の下降移動を案内する案内溝６が設けられている。案内溝６の底部分は、図１に示すトレイの姿勢において、底面２よりも上方に位置している。また、案内溝６の正面視における幅方向の中心には、案内溝６の底辺から中部にかけて形成されたリブ部７が設けられている。
【００１６】
リブ部７は、図３に示すように、外周面３の内面から本体１の内方に向けて突出した形状を有している。リブ部７は、図３に示すように、リブ部７の外周面３に接する側の幅は、リブ部７の先端側（本体１の内方側）の幅よりも狭い状態、つまり平面視において略台形形状を有している。
また、リブ部７の上端は、図２に示すように、案内溝６の高さ方向における上端付近まで形成されているのではなく、中部にまでしか設けられていない。従って、案内溝６の中部より上方は、幅の広い状態となっている。つまり、案内溝６の中部より上方は、仕切板５の幅方向における両端を、リブ部７が形成された部分まで案内するための案内空間となっている。
【００１７】
一方、仕切板５の両端の側面には、トレイに挿入される際の姿勢において、リブ部７に嵌合する嵌合溝８が、下方から上方に向けて設けられている。嵌合溝８の下方部８ａは、図２、図４に示すように、上方部８ｂよりも溝幅が広くなるように形成されている。また、嵌合溝８の上方部８ｂは、図５に示すように、仕切板５がトレイに挿入される際の姿勢における平面視において、その外方の幅がその内方の幅よりも狭くなった略台形形状となっている。
【００１８】
なお、平面視において略台形形状となる嵌合溝８の上方部８ｂの大きさは、上述した略台形形状のリブ部７の幅よりも、わずかに大きくなるように形成されている。
従って、図１に示すように、本体１の内面を仕切板５で仕切る際には、仕切板５の両端を、本体１の外周面３の上端まで開口する案内溝６に沿って下方に押し下げながら移動させる。このとき、案内溝６の上方には、リブ部７が設けられていない。よって、上述のように、仕切板５の両端をリブ部７に案内するための案内空間とすることができるので、仕切板５の下降操作は、極めてスムーズに行われる。
【００１９】
そして、仕切板５の下降に伴って、リブ部７に仕切板５の嵌合溝８の下方部８ａが到達した状態が、図６に示す状態である。
下方部８ａは、図６に示すように、仕切板５を嵌合溝８内へ挿入した状態における平面視において、長方形状の空間を形成し、リブ部７よりも幅方向において大きい。従って、仕切板５の下降に伴って、仕切板５の嵌合溝８が、リブ部７に到達した時点において、リブ部７に対して、仕切板５の嵌合溝８が強く嵌合することはない。むしろ、仕切板５の嵌合溝８を、リブ部７によって下方に案内するような状態で、仕切板５の下降動作が継続される。
【００２０】
そして、この下降動作が継続されていくと、図７に示すように、嵌合溝８の上方部８ｂが、リブ部７に嵌合する。このとき、嵌合溝８の上方部８ｂとリブ部７とは、上述のように、両者とも略台形形状を有している。この両者の嵌合により、仕切板５は、本体１の外周面３に強固に装着された状態となる。
また、本体１の内部空間における隅において、対向する長辺側の外周面には、仕切板５の端部が挿入可能な凹部９が設けられている。つまり、本体１の内部に大容積の収納部を形成するときには、図８に示すように、仕切板５の両端を、それぞれ対向する凹部９内に収納させる。
【００２１】
凹部９の凹み深さ（外周面３の内面から凹んだ距離）は、図３に示すリブ部７の高さとほぼ同じになるように形成されている。このため、図８に示すように、凹部９に仕切板５の端部が収納された状態においては、図６と同様に、凹部９内においては、仕切板５と外周面３とは、微小な空間を隔てて配置されている。よって、不用意に仕切板５が、凹部９から飛び出すことを防止することができる。
【００２２】
さて、このような形状のトレイは、図９、図１０に示すように、上下に重ねた状態で搬送や収納が行われる。このとき、上方のトレイは、下方のトレイの凹部９の上方に形成された面において支持される。つまり、図９、図１０に示すように、容器状の本体１の隅に設けられた凹部９近傍の外周縁４には、上方のトレイの底面２の下面を受け止める面となる支持部１０が設けられている。このため、支持部１０によって、上方のトレイの底部分は、下方のトレイの支持部１０の面上において支持される。
【００２３】
なお、支持部１０は、図１０に示すように、外周縁４の上面よりも一段下がった凹部形状を有している。さらに、支持部１０の外周側であって、外周縁４の内周側の部分には、上方に向けて突出する凸部１１が設けられている。これにより、上方のトレイの底部分を、下方のトレイの支持部１０の面上に、適切に案内して支持することができる。
【００２４】
（実施の形態２）
本発明の他の実施形態に係るトレイについて、図１１〜図１４を用いて説明すれば以下の通りである。
容器状の本体１０１は、図１１に示すように、略四角形の底面１０２と、底面１０２の外周部から上方に立ち上がった外周面１０３と、外周面１０３の上端から外方に広げられた外周縁１０４とを備えている。
本体１０１の内部は、２枚の仕切板１０５によって３つ（複数）の空間に仕切られる。そして、仕切板１０５によって仕切られた本体１０１の内部の空間には、例えば、薬剤が収納される。
【００２５】
本体１０１と仕切板１０５とは、いずれも合成樹脂で形成されている。
以下、これらの本体１０１と仕切板１０５について詳細に説明する。
まず、本体１０１の底面１０２は、長方形状を有している。そして、底面１０２における対向する両方の長辺から立ち上がった外周面１０３の内側には、図１１、図１２に示すように、仕切板１０５の下降移動を案内する案内溝１０６が設けられている。案内溝１０６の底部分は、図１１に示すトレイの姿勢において、底面１０２よりも上方に位置している。また、案内溝１０６の正面視における中心には、案内溝１０６の底辺から中部にかけて形成されたリブ部１０７が設けられている。
【００２６】
一方、仕切板１０５の両端の側面には、トレイに挿入される際の姿勢において、リブ部１０７に嵌合する嵌合溝１０８が、その下方から上方に向けて設けられている。
そして、図１１に示すように、嵌合溝１０８は、リブ部１０７に嵌合する。これにより、この両者の嵌合により、仕切板１０５は本体１０１の外周面１０３に強固に装着された状態となる。
【００２７】
さて、このような形状のトレイは、図１３、図１４に示すように、上下に重ねられた状態で搬送されたり収納されたりする。このとき、上方のトレイは、下方のトレイの凹部１０９の上方に形成された面において支持される。つまり、図１３、図１４に示すように、容器状の本体１の隅に設けられた凹部１０９近傍の外周縁１０４には、上方のトレイの底面１０２の下面を受け止める面となる支持部１１０が設けられている。このため、支持部１１０によって、上方のトレイの底部分は、下方のトレイの支持部１１０の面上において支持される。
【００２８】
なお、支持部１１０は、図１４に示すように、外周縁１０４の上面よりも一段下がった凹部形状を有している。さらに、支持部１１０の外周側であって、外周縁１０４の内周側の部分には、上方に向けて突出する凸部１１１が設けられている。これにより、上方のトレイの底部分を、下方のトレイの支持部１１０の面上に、適切に案内して支持することができる。
【００２９】
（実施の形態３）
本発明のさらに他の実施形態に係るトレイについて、図１５〜図２０を用いて説明すれば以下の通りである。
容器状の本体２０１は、図１５に示すように、略四角形の底面２０２と、底面２０２の外周部から上方に立ち上がった外周面２０３と、外周面２０３の上端から外方に広げられた外周縁２０４とを備えている。
【００３０】
本体２０１の内部は、２枚の仕切板２０５によって３つ（複数）の空間に仕切られる。そして、仕切板２０５によって仕切られた本体２０１の内部の空間には、例えば、薬剤が収納される。
本体２０１と仕切板２０５とは、いずれも合成樹脂で形成されている。
以下、これらの本体２０１と仕切板２０５について詳細に説明する。
【００３１】
まず、本体２０１の底面２０２は、長方形状を有している。そして、底面２０２における対向する両方の長辺から立ち上がった外周面２０３の内側には、図１５、図１６、図１８に示すように、仕切板２０５の下降移動を案内する略長方形の嵌合溝２０６が設けられている。
ここで、嵌合溝２０６の底部分は、図１５に示すトレイの姿勢において、底面２０２よりも上方に位置している。さらに、図１６に示すように、嵌合溝２０６は、下方の溝幅よりも上方の溝幅が広くなるように形成されている。
【００３２】
一方、仕切板２０５の両端の側面には、図１５、図１６、図１７に示すように、トレイに挿入される際の姿勢において、嵌合溝２０６に嵌合する略直方体形状の嵌合リブ部２０８が、その下方から上方に向けて設けられている。
従って、図１５に示すように、本体２０１の内部空間を、仕切板２０５によって仕切る際には、仕切板２０５の両端を、本体２０１の外周面２０３上端まで開口する嵌合溝２０６に沿って移動させて、仕切板２０５を下方に押し下げる。このとき、嵌合溝２０６と嵌合リブ部２０８との断面形状がともに略長方形であるため、仕切板２０５の下降操作は、極めてスムーズに行われる。
【００３３】
さらに、仕切板２０５の両側の側面には、図１５、図１７に示すように、嵌合リブ部２０８に対して左右方向に突出する突起部２１２が設けられている。つまり、突起部２１２は、仕切板２０５における幅方向両側の両面から、嵌合リブ部２０８の突出方向に交差する方向に突出するように、それぞれ形成されている。
そして、嵌合溝２０６に仕切板２０５の嵌合リブ部２０８が下降していくと、図１９に示すように、当然、突起部２１２は、嵌合リブ部２０８の幅より大きくなるように形成されている。
【００３４】
従って、仕切板２０５の下降に伴って仕切板２０５の嵌合リブ部２０８が、嵌合溝２０６に嵌合された状態においては、図１９中の矢印Ｆの方向に力が加わった場合（例えば外乱が加わった場合）においても、仕切板２０５の嵌合リブ部２０８が、本体２０１の嵌合溝２０６から抜けにくくすることができる。その結果、仕切板２０５は、本体２０１の外周面２０３に強固に装着された状態となる。
【００３５】
すなわち、本実施形態のトレイでは、嵌合リブ部２０８の近傍に、嵌合リブ部２０８の突出方向に略垂直な方向に突出する突起部２１２が設けられている。これにより、仕切板２０５が、その左右方向の外部からかかる力（例えば、図１９中の矢印Ｆに相当する外乱）に起因して仕切板２０５の嵌合リブ部２０８が、本体２０１の嵌合溝２０６から抜け出てしまうことを防止することができる。その結果、トレイの操作性、信頼性を高めることができる。
【００３６】
また、本体２０１内部空間の端部において、互いに対向する２つの長辺側の外周面には、仕切板２０５の端部が挿入可能な凹部２０９が設けられている。つまり、本体２０１の内部空間に大容積の収納部を形成する場合には、図２０に示すように、仕切板２０５の両端を、互いに対向する位置に形成された凹部２０９に収納させる。
なお、凹部２０９の深さ（外周面２０３の内面から凹んだ距離）は、図１８に示した嵌合溝２０６の深さとほぼ同じ深さとしている。このため、図２０に示すように、互いに対向する位置に配置された２つの凹部２０９に仕切板２０５の両端が収納された状態においては、仕切板２０５と外周面２０３とは、凹部２０９内においては、微小な空間を隔てて配置されている。よって、不用意に仕切板２０５が、凹部２０９から飛び出すことを防止することができる。
【００３７】
（実施の形態４）
本発明のさらに他の実施形態に係るトレイについて、図２１〜図２５を用いて説明すれば以下の通りである。
容器状の本体３０１は、図２１に示すように、略四角形の底面３０２と、底面３０２の外周部から上方に立ち上がった外周面３０３と、外周面３０３の上端から外方に広げられた外周縁３０４とを備えている。
【００３８】
本体３０１の内部は、２枚の仕切板３０５によって３つ（複数）の空間に仕切られる。そして、仕切板３０５によって仕切られた本体３０１の内部の空間には、例えば、薬剤が収納される。
本体３０１と仕切板３０５とは、いずれも合成樹脂で形成されている。
以下、これらの本体３０１と仕切板３０５について詳細に説明する。
【００３９】
まず、本体３０１の底面は略長方形状を有している。そして、互いに対向する２つの長辺から立ち上がった外周面３０３の内側には、図２１、図２２、図２４に示すように、仕切板３０５の下降移動を案内する嵌合溝３０６が設けられている。
嵌合溝３０６は、図２４に示すように、平面視において、略円形状を有している。
ここで、平面視において略円形の嵌合溝３０６の底部分は、図２１に示すトレイの姿勢において、本体３０１の底面３０２よりも上方に位置している。さらに、図２２に示すように、嵌合溝３０６は、下方の溝幅よりも上方の溝幅が広くなるように形成されている。
【００４０】
一方、仕切板３０５の両端の側面には、図２１、図２２、図２３に示すように、平面視において略円形の嵌合溝３０６に嵌合するように、平面視において略円形の嵌合リブ部３０８が下方から上方に向けて設けられている。
従って、図２１に示すように、本体３０１の内部空間を、仕切板３０５を用いて仕切る際には、仕切板３０５の両端を、本体３０１の外周面３０３上端まで開口する嵌合溝３０６に沿って移動させながら、仕切板３０５を下方に押し下げる。このとき、嵌合溝３０６と嵌合リブ部３０８とは、ともに略円形の形状となっているため、仕切板３０５の下降操作は、極めてスムーズに行われる。
【００４１】
また、仕切板３０５の下降に伴って、仕切板３０５の嵌合リブ部３０８が、嵌合溝３０６に嵌合された状態においては、図２５中の矢印Ｆの方向に力が加わった場合（例えば、外乱が加わった場合）においても、嵌合溝３０６内における嵌合リブ部３０８との間には微小な隙間しかないため、仕切板３０５の嵌合リブ部３０８を、本体３０１の嵌合溝３０６から抜けにくくすることができる。その結果、仕切板３０５は、本体３０１の外周面３０３に強固に装着された状態となる。
【００４２】
すなわち、略円形の嵌合溝３０６と、同じく略円形の嵌合リブ部３０８とを互いに嵌合させた状態で仕切板３０５が装着されるため、仕切板３０５が、その左右方向の外部からかかる力（例えば、図２５中の矢印Ｆに相当する外乱）に起因して、仕切板３０５の嵌合リブ部３０８が、本体３０１の嵌合溝３０６から抜けて出てしまうことを防止することができる。その結果、トレイの操作性、信頼性を高めることができる。
【００４３】
（実施の形態５）
本発明のさらに他の実施形態に係るトレイについて、図２６〜図２９を用いて説明すれば以下の通りである。
ここで、例えば、医薬品等の物品を収納した場合、その物品の情報（例えば、薬品名）等を記述された書類を準備し、その書類をこのトレイ上に載置することによって、そのトレイを取り扱う作業者（例えば看護師）が、その収納された物品の情報等を容易の確認できるように取り扱われることがある。
【００４４】
しかしながら、上記従来のトレイにおいては、収納された物品の情報が記述された書類を、物品が収納されたトレイの情報に載置すると、トレイの運搬時等に、その書類がトレイから落ちてしまうため、その結果として、トレイの作業性が非常に悪いものであった。
そこで、本発明は、トレイ上に載置された書類の落下を防止し、トレイの作業性を高めることを目的とするものである。
【００４５】
容器状の本体４０１は、図２６に示すように、略四角形の底面４０２と、底面４０２の外周部から上方に立ち上がった外周面４０３と、外周面４０３の上端から外方に広げられた外周縁４０４と、を備えている。
本体４０１の内部は、２枚の仕切板４０５によって３つ（複数）の空間に仕切られている（図２６では、仕切板４０５は１つのみ記載している。）。そして、仕切板４０５によって仕切られた本体４０１の内部の空間には、例えば、薬剤が収納される。
【００４６】
本体４０１と仕切板４０５とは、いずれも合成樹脂で形成されている。
以下、これらの本体４０１と仕切板４０５について詳細に説明する。
まず、本体４０１の底面には長方形状を有している。そして、互いに対向する２つの長辺側から立ち上がった外周面４０３の内側には、図２６に示すように、仕切板４０５の下降移動を案内する案内溝４０６が設けられている。案内溝４０６の底部分は、図２６に示すトレイの姿勢において、底面４０２よりも上方に位置している。また、案内溝４０６の中心には、底辺から中部に立ち上がったリブ部４０７を設けている。
【００４７】
案内溝４０６内に形成されたリブ部４０７は、外周面４０３の内面から本体４０１の内方に向けて突出した形状を有している。そして、図２６に示すように、リブ部４０７の外周面４０３に連結された側の幅は、リブ部４０７の先端側（本体４０１の内方側）の幅よりも狭い。つまり、リブ部４０７は、平面視において略台形形状を有している。
また、リブ部４０７の上端は、図２６に示すように、案内溝４０６内における中部までしか設けられていない。従って、案内溝４０６は、その中部より上方が幅が広い状態となっている。つまり、案内溝４０６の中部より上方は、仕切板４０５の両端をリブ部４０７に案内するための案内空間となっている。
【００４８】
一方、仕切板４０５の両端の側面には、リブ部４０７に嵌合する嵌合溝４０８が、下方から上方に向けて設けられている。嵌合溝４０８の下方部４０８ａは、図２６に示すように、上方部４０８ｂよりも溝幅が広くなっている。また、嵌合溝４０８の上方部４０８ｂは、図２６に示すように、その下端側から上方に向かって幅が徐々に狭くなっていく略台形形状を有している。
【００４９】
なお、このように略台形形状となった嵌合溝４０８の上方部４０８ｂの幅は、上述した略台形形状のリブ部４０７の先端部分の幅よりも、わずかに大きくなっている。
従って、図２６に示すように、本体４０１の内部空間を仕切板４０５で仕切る場合には、仕切板４０５の両端を、本体４０１の外周面４０３上端まで開口する案内溝４０６に沿って移動させて、仕切板４０５を下方に押し下げる。このとき、案内溝４０６の上部分は、リブ部４０７が設けられておらず、仕切板４０５の両端をリブ部４０７へと案内するための案内空間としているので、仕切板４０５の下降操作は極めてスムーズに行われる。
【００５０】
そして、仕切板４０５の下降に伴って仕切板４０５の嵌合溝４０８が、リブ部４０７に到達すると、リブ部４０７に対して、仕切板４０５の両側端面に形成された嵌合溝４０８が強く嵌合することはない。むしろ、仕切板４０５の嵌合溝４０８をリブ部４０７によって下方に仕切板４０５を案内しながら、仕切板４０５の下降動作が継続される。
そして、この下降動作が継続された結果、最終的には、嵌合溝４０８の上方部４０８ｂがリブ部４０７に嵌合する。このとき、嵌合溝４０８の上方部４０８ｂとリブ部４０７とは、上述のように、両者とも略台形形状を有している。このため、両者の嵌合により、仕切板４０５は本体４０１の外周面４０３の間において強固に装着された状態となる。
【００５１】
次に、仕切板４０５に関して詳しく説明する。
図２７は、本実施形態の仕切板４０５の正面図を示している。
本実施形態のトレイは、図２７に示すように、仕切板４０５の少なくとも一端側（本実施形態においては左右両端）の上面に、保持部４０９が設けられている。
保持部４０９は、トレイの本体４０１上に載置する書類（例えば、本体４０１に収納された物品の情報を記述された書類）４１３（図２９参照）を保持する。
【００５２】
次に、保持部４０９が、本体４０１上に載置された書類４１３を保持する機構に関して詳しく説明する。
図２８は、本実施形態の仕切板４０５の保持部４０９の部分を拡大した正面図（図２７中の領域Ａの拡大側面図）である。
保持部４０９は、図２７、図２８に示すように、書類４１３を差し込むための挿入口４１０を有している。よって、トレイの本体４０１上に載置される書類４１３は、挿入口４１０から挿入される。また、図２８に示すように、挿入口４１０には、書類４１３が差し込まれる側に設けられた第１の斜面４１１と、第１の斜面４１１の奥側に設けられた第２の斜面４１２とが形成されている。
【００５３】
第１の斜面４１１は、図２８に示すように、書類４１３が差し込まれる方向（図２８中の矢印Ｂの方向）に対して、下り斜面となるように形成されている。
第２の斜面４１２は、書類４１３が差し込まれる方向（図２８中の矢印Ｂの方向）に対して、上り斜面となるように形成されている。
すなわち、図２８に示すように、挿入口４１０は、第１の斜面４１１と第２の斜面４１２とによって略Ｌ字形状になるように形成されている。これにより、保持部４０９に挿入された書類４１３が抜けないように保持することができる。
【００５４】
また、本実施形態のトレイでは、図２８に示すように、第２の斜面４１２における書類を差し込む入射角度Ｄは、第１の斜面４１１における書類を差し込む入射角度Ｃよりも大きくなるように形成されている。これにより、書類４１３を保持部４０９に挿入する作業性をより向上させるとともに、保持部４０９において書類４１３を保持する保持力をより大きくすることができる。
【００５５】
以上が、保持部４０９によって、トレイ上に載置された書類４１３を保持する機構の説明である。
図２９は、本実施形態のトレイ上に書類４１３を載置した使用状態を示す斜視図である。
本体４０１上に載置された書類４１３は、図２９に示すように、仕切板４０５の少なくとも一端側の上端面に形成された（本実施形態においては両端）保持部４０９において保持することができる。
【００５６】
なお、本実施形態において、保持部４０９は、仕切板４０５の両端の上端面に形成されている。
これにより、例えば、図２９に示すように、２つの仕切板４０５の保持部４０９を用いて、書類４１３を保持する場合には、仕切板４０５の上端面の両端にそれぞれ保持部４０９が設けられているため、仕切板４０５を本体４０１に差し込む際に、作業者は、差し込む方向を考慮する必要がない。この結果、トレイの作業性をより向上させることができる。
【００５７】
（実施の形態６）
本発明のさらに他の実施形態に係るトレイについて、図３０を用いて説明すれば以下の通りである。
ここでは、上記実施形態５と同様に、例えば、医薬品等の物品を収納した場合、その物品の情報（例えば、薬品名）等を記述された書類を準備し、その書類がこのトレイ上に載置される場合について説明する。
【００５８】
本実施形態のトレイでは、図３０に示すように、トレイ上に書類５１３が載置された状態において、例えば、トレイの搬送中等において、書類５１３がトレイ上からずれてしまうことを防止するために、仕切板５０５の上面に、実施形態５の保持部の他の形態として、以下のような書類を保持するための機構を備えている。
すなわち、図３０に示すように、仕切板５０５は、書類５１３が載置される上端面に、凹状の段差部５１１を有している。
【００５９】
段差部５１１は、仕切板５０５の両端付近に形成された傾斜部５１２ａ，５１２ｂに挟まれるように、仕切板５０５のほぼ中央部に形成されている。つまり、段差部５１１は、仕切板５０５の幅方向における両端付近に形成された傾斜部５１２ａ，５１２ｂを介して一段低くなるように形成された凹み部分である。
これにより、トレイ上に載置された書類５１３は、図３０に示すように、その両端が傾斜部５１２ａ，５１２ｂによって保持されることで、トレイの搬送中等に、書類５１３が誤ってトレイ上からずれにくくすることができる。
【産業上の利用可能性】
【００６０】
本発明は、操作性の高いトレイを提供できるという効果を奏するものであることから、例えば、医薬品等の物品を収納するトレイなどへの活用が期待される。
【符号の説明】
【００６１】
１      本体
２      底面
３      外周面
４      外周縁
５      仕切板
６      案内溝
７      リブ部
８      嵌合溝
８ａ    下方部
８ｂ    上方部
９      凹部
１０      支持部
１１      凸部
１０１      本体
１０２      底面
１０３      外周面
１０４      外周縁
１０５      仕切板
１０６      案内溝
１０７      リブ部
１０８      嵌合溝
１０９      凹部
１１０      支持部
１１１      凸部
２０１      本体
２０２      底面
２０３      外周面
２０４      外周縁
２０５      仕切板
２０６      嵌合溝
２０８      嵌合リブ部
２０９      凹部
２１２      突起部
３０１      本体
３０２      底面
３０３      外周面
３０４      外周縁
３０５      仕切板
３０６      嵌合溝
３０８      嵌合リブ部
４０１      本体
４０２      底面
４０３      外周面
４０４      外周縁
４０５      仕切板
４０６      案内溝
４０７      リブ部
４０８      嵌合溝
４０８ａ    下方部
４０８ｂ    上方部
４０９      保持部
４１０      挿入口
４１１      第１の斜面
４１２      第２の斜面
４１３      書類
５０５      仕切板
５１１      段差部（保持部）
５１２ａ，５１２ｂ  傾斜部
５１３      書類
【手続補正３】
【補正対象書類名】図面
【補正対象項目名】図１１
【補正方法】変更
【補正の内容】
【図１１】
2013011672.tif 000033
【手続補正４】
【補正対象書類名】図面
【補正対象項目名】図１３
【補正方法】変更
【補正の内容】
【図１３】
2013011672.tif 000034
【手続補正５】
【補正対象書類名】図面
【補正対象項目名】図１５
【補正方法】変更
【補正の内容】
【図１５】
2013011672.tif 000035
【手続補正６】
【補正対象書類名】図面
【補正対象項目名】図１６
【補正方法】変更
【補正の内容】
【図１６】
2013011672.tif 000036
【国際調査報告】
2013011672.tif 000037
2013011672.tif 000038
2013011672.tif 000039
2013011672.tif 000040
2013011672.tif 000041
2013011672.tif 000042
2013011672.tif 000043
2013011672.tif 000044
2013011672.tif 000045
2013011672.tif 000046